(57)【要約】    【課題】  ワイヤーロープに沿って移動する垂止具を備えた定置型流速測定装置において、垂止具によりワイヤーロープの緩みを防止する。    【解決手段】  架台９，９間に渡されキャリヤ13の移動により移動する垂止具移動用ワイヤーロープ10と、キャリヤ13と間隔を置いて垂止具移動用ワイヤーロープ10に設けられ垂止具31，31Ａをキャリヤ13側に押して移動するストッパ34，34Ａとを備え、キャリヤ13に測定装置を設ける。キャリヤ13が移動すると、該キャリヤ13に押されて移動方向前側に配置されていた垂止具31，31が左側の架台９側に移動し、一方、キャリヤ13と供に移動用ワイヤーロープ10が移動し、この移動用ワイヤーロープ10に設けたストッパ34，34Ａが、キャリヤ移動方向後側の垂止具31，31Ａを押してキャリヤ13後方に垂止具31，31Ａが配置される。【選択図】      図１０
2006029924.tif 000002
【特許請求の範囲】
【請求項１】
河川の両側壁に設けられた架台間に複数段に渡されたワイヤーロープと、これらワイヤーロープに沿って移動するキャリヤと、このキャリヤに吊設されたポールと、このポール側に設けられ河川の流速信号を送信する手段と、前記ポールに設けられ、水面、河川底を検出する手段と、前記キャリヤの移動により前記ポールを河川の巾方向に移動する手段と、前記ポールを河川の水深方向に移動する手段と、前記ポールの移動に関する流速値、移動値などの情報を表示する表示手段と、前記キャリヤに押されて移動するワイヤーロープ用の垂止具とを備えた河川の定置型流速測定装置において、前記架台間に渡され前記キャリヤの移動により移動する垂止具移動用ワイヤーロープと、前記キャリヤと間隔を置いて前記垂止具移動用ワイヤーロープに設けられ前記垂止具をキャリヤ側に押して該垂止具を移動するストッパとを備えることを特徴とする河川の定置型流速測定装置。
【請求項２】
前記ストッパは前記垂止具に係合して該垂止具を押し、異なる前記ストッパを前記移動用ワイヤーロープに間隔を置いて設け、前記異なるストッパの一方のみが係合する前記垂止具と、前記異なるストッパの両方に係合する前記垂止具とを備えることを特徴とする請求項１記載の河川の定置型流速測定装置。
【請求項３】
前記ストッパは前記垂止具に係合して該垂止具を押し、大型と小型の前記ストッパを前記移動用ワイヤーロープに間隔を置いて設けると共に、前記キャリヤ側に前記小型のストッパを設け、前記垂止具には、前記移動用ワイヤーロープを挿通する挿通部を設け、前記大型のストッパに係合する大型の前記挿通部を有する前記垂止具と、前記小型のストッパに係合する小型の前記挿通部を有する前記垂止具とを備え、この小型の挿通部を有する垂止具を、前記キャリヤ側に配置したことを特徴とする請求項１記載の河川の定置型流速測定装置。
【発明の詳細な説明】
【技術分野】
【０００１】
本発明は、河川の流速測定方式、特に、降雨及びその他の事情により変化をなす河川流量を長期にわたり調査するための流速測定方法に用いる河川の定置型流速測定装置に関する。
【背景技術】
【０００２】
水力発電などの開発利用促進のための測定所が全国の多数ヶ所に設置されており、河川の変化に影響されずに高い精度で自動により測定できる河川の定置型流速測定装置として、ポール側に設けられ河川の流速信号を送信する手段と、前記ポールに設けられ、水面、河川底を検出する手段と、前記ポールを河川の巾方向に移動する手段と、前記ポールを河川の水深方向に移動する手段と、前記ポールの移動に関する流速値、移動値などの情報を表示する表示手段とを備えた河川の定置型流速測定装置（例えば特許文献１）が提案されている。
【０００３】
この定置型流速測定装置では、ワイヤーロープにワイヤーロープ垂止具を適数配置し、各ワイヤーロープの挿通孔およびキャリヤに設けられた係合腕の係合孔とを有し、垂止具配列用ワイヤーロープにほぼ等間隔に複数設けたワイヤーロープ垂止具のストッパが前記押通孔に係止しあるいは係止せずに通過するようにストッパと挿通孔との巾寸法を定めることによつて、ワイヤーロープ垂止具が係合腕と係合孔の孫合によりキャリヤと共に移動しながら、ストッパとの係止によりワイヤーロープ垂止具が常にストッパの箇所である所望間隔毎に配置してワイヤーロープの緩みを良好に防止するようになしている。
【特許文献１】特開昭６０−２３３５６２号公報
【発明の開示】
【発明が解決しようとする課題】
【０００４】
上記のワイヤーロープ垂止具を移動するには、キャリヤの係合腕に垂止具を引っ掛けた状態で該キャリヤを移動するから、係合腕の上下位置の調整が不十分だったり、ワイヤーロープが伸びて適正な撓みがないと、係合腕が垂止具の係合孔に円滑に係合できない場合がある。そして、上記の構造では、係合孔に係合腕を係合するには、一方の架台側まで、キャリヤにより垂止具を移動せしめた後、さらに、キャリヤを外側に移動して、係合腕を垂止具に押し当て、係合孔に押し入れるようにして係合腕を係合する必要があり、係合時にキャリヤ及び垂止具などの塗装を損傷する場合がある。また、前記押し入れる際の衝撃により、ワイヤーロープやその他の機器に悪影響を及ぼす虞がある。
【０００５】
また、一方の架台側にキャリヤを移動し、一方側の係合腕に垂止具の係合孔部分を載せるようにして係合した後、他方にキャリヤを移動し、係合腕に係合したストッパに当たって係合が解除され、該ストッパ位置に配置されるものであり、図１３に示すように、一方の係合腕101（図中で右側）と垂止具102，102の係合が不十分であったり、架台103側近くまで移動する前に、キャリヤ104が他側（同図の位置から左側）に移動したりすると、垂止具102，102が一方側に残され、正しい位置に配置できなくなる。このような場合、キャリヤ104を一方の架台103側に戻し、垂止具102，102の係合孔102Ａ，102Ａに係合腕101を押し込むようにして係合した後、再び移動する必要がある。
【０００６】
そこで、本発明は、ワイヤーロープに沿って移動する垂止具を備えた定置型流速測定装置において、垂止具によりワイヤーロープの緩みを防止し、精度の高い測定を可能とする河川の定置型流速測定装置を提供することを目的とする。
【課題を解決するための手段】
【０００７】
請求項１の発明は、河川の両側壁に設けられた架台間に複数段に渡されたワイヤーロープと、これらワイヤーロープに沿って移動するキャリヤと、このキャリヤに吊設されたポールと、このポール側に設けられ河川の流速信号を送信する手段と、前記ポールに設けられ、水面、河川底を検出する手段と、前記キャリヤの移動により前記ポールを河川の巾方向に移動する手段と、前記ポールを河川の水深方向に移動する手段と、前記ポールの移動に関する流速値、移動値などの情報を表示する表示手段と、前記キャリヤに押されて移動するワイヤーロープ用の垂止具とを備えた河川の定置型流速測定装置において、前記架台間に渡され前記キャリヤの移動により移動する垂止具移動用ワイヤーロープと、前記キャリヤと間隔を置いて前記垂止具移動用ワイヤーロープに設けられ前記垂止具をキャリヤ側に押して該垂止具を移動するストッパとを備えるものである。
【０００８】
また、請求項２の発明は、前記ストッパは前記垂止具に係合して該垂止具を押し、異なる前記ストッパを前記移動用ワイヤーロープに間隔を置いて設け、前記異なるストッパの一方のみが係合する前記垂止具と、前記異なるストッパの両方に係合する前記垂止具とを備えるものである。
【０００９】
また、請求項３の発明は、前記ストッパは前記垂止具に係合して該垂止具を押し、大型と小型の前記ストッパを前記移動用ワイヤーロープに間隔を置いて設けると共に、前記キャリヤ側に前記小型のストッパを設け、前記垂止具には、前記移動用ワイヤーロープを挿通する挿通部を設け、前記大型のストッパに係合する大型の前記挿通部を有する前記垂止具と、前記小型のストッパに係合する小型の前記挿通部を有する前記垂止具とを備え、この小型の挿通部を有する垂止具を、前記キャリヤ側に配置したものである。
【発明の効果】
【００１０】
請求項１の構成によれば、キャリヤが移動すると、該キャリヤに押されて移動方向前側に配置されていた垂止具が移動する。一方、キャリヤと供に移動用ワイヤーロープが移動し、この移動用ワイヤーロープに設けたストッパが、キャリヤ移動方向後側の垂止具を押してキャリヤ後方に垂止具が配置される。
【００１１】
また、請求項２の構成によれば、キャリヤと供に垂止具移動用ワイヤーロープが移動し、前記キャリヤの移動方向後側において、前記移動用ワイヤーロープに設けたストッパの一方が、これに係合する垂止具を押し、前記ストッパと間隔を置くストッパの他方が、前記垂止具と異なる垂止具を押し、これにより移動方向の後側に複数の垂止具がストッパの間隔に合わせて配置される。
【００１２】
また、請求項３の構成によれば、キャリヤと供に垂止具移動用ワイヤーロープが移動し、前記キャリヤの移動方向後側において、小型のストッパが大型の挿通部を通過し、小型の挿通部を有する垂止具に係合し、この垂止具を押し、続いて、大型のストッパが大型の挿通部を有する垂止具に係合し、この垂止具を押し、これにより移動方向の後側に複数の垂止具がストッパの間隔に合わせて配置される。
【発明を実施するための最良の形態】
【００１３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な河川の定置型流速測定装置を採用することにより、従来にない河川の定置型流速測定装置が得られ、その河川の定置型流速測定装置について記述する。
【実施例１】
【００１４】
以下、本発明の河川の定置型流速測定装置の実施例について、図１〜図１２は本発明の実施例１を示し、同図において、１は深度表示目盛を設けたポールであり、河川の流速信号を送信する手段であるプロペラを有する流速計２とこの流速計２と電気的に接続した送信器３とを備え、流速計２がポール１の下部に、送信器３が上方に配置されている。またポール１の下部には重錘４が設けられ、下端には水面、河川底を検出する手段である接地スイッチ５が設けられている。また、ポール１は水流力により傾動できるようにロープ19を介し垂設され、ポール１の傾斜角度を検出して所定位置を表示する手段たる角度計７が設けられている。
【００１５】
８はポール１を河川の巾方向に移動する装置であり、河川の両側壁に立設した架台９，９間に垂止具移動用ワイヤーロープ10と主ワイヤーロープ11とが緊張設し、ワイヤーロープ11に複数のローラ12，12を介しキャリヤ13が摺動自在に載架すると共に、ワイヤーロープ10に複数のローラ12Ａ，12Ａを介しキャリヤ13が摺動自在に載架している。14はキャリヤ13の移動用ワイヤーロープであり、両側の架台９，９に設けたシーブ15，15Ａにそれぞれ掛装され、一側端14Ｌをキャリヤ13の一側に固定し、他側14Ｒをモータ、減速機16と連結した正逆転巻取ドラム17を過てキャリヤ13の他側に固定している。
【００１６】
18はポール１を水深方向に移動する装置であり、ポール昇降用ワイヤーロープ19の一端19Ｌが一方の架台９側に固定され、キャリヤ13の一側に設けられたシーブ20と、ポール１側の上方に並設されたシーブ21，21と、キャリヤ13の他側に設けたシーブ22と、他方の架台９側に設けたシーブ23とを順次過ぎてモータ、減速機24と連結した正逆転巻取ドラム25に他端19Ｒ側が巻付けられている。
【００１７】
26はポール１の移動に関する情報を表示する手段である表示盤であり、送信器３からの信号を受信して流速を表示する表示部と、シーブ等の回転数あるいは巻取ドラム17の巻取量を検知してポール１の巾方向の移動値を表示する表示部と、シーブ等の回転数あるいは巻取ドラム25の巻取量を検知して深度を表示する表示部とを備えている。なお、ポール１の傾斜角度を電気信号に変えて表示する表示部、また水、河川底の接地を検知して表示する表示部を設けてもよい。
【００１８】
27は操作盤であり、ポール１の移動装置８，18の自動、手動切替部と、手動操作部などを配置している。なお、本発明はポール１が流路断面の全体に渡って自動的順次間欠的に移動しながら情報を表示し記憶するための制御装置（図示せず）を備えている。
【００１９】
前記垂止具移動用ワイヤーロープ10は、架台９，９に設けたシーブ28，28に掛装されて上下２段に配置され、下段において、前記ワイヤーロープ10の一端10Ｌと他端10Ｒを前記キャリヤ13の一側と他側に固定し、また、ワイヤーロープ10の上段に前記ローラ12，12が摺動自在に載架されている。したがって、ロープ10は、キャリヤ13を介して、シーブ28，28間に無端状に掛装されている。そして、キャリヤ13が一側に移動すると、シーブ28，28間において、ワイヤーロープ10は一端10Ｌと他端10Ｒが一側に移動するように動き、キャリヤ13が他側に移動すると、ワイヤーロープ10は一端10Ｌと他端10Ｒが他側に移動するように動く。また、前記キャリヤ13の両側には後述するワイヤーロープ垂止具を押す縦方向の当接腕部29，29が設けられている。
【００２０】
31，31Ａは上下多段に設けられた前記ワイヤーロープ10，11，14，19に適数配置したワイヤーロープ垂止具であり、図４及び図５などに示すように、各ワイヤーロープ11，14，19の挿通孔32及びワイヤーロープ10の挿通部たる挿通孔33，33Ａとを有し、同図に示すように、挿通孔33は挿通孔33Ａより左右巾広に形成されている。そして、垂止具31が大型の前記挿通孔33を有し、垂止具31Ａが小型の挿通孔33Ａを有する。尚、垂止具31，31Ａは主ワイヤーロープ11に支持され、垂止具31，31Ａにワイヤーロープ14，19が支持され、垂止具31，31Ａにおいて、図４及び図５に示すように、ワイヤーロープ11，14，19が接する部分には回転可能なローラ42が設けられている。
【００２１】
図６及び図７などに示すように、前記垂止具移動用ワイヤーロープ10には、複数のストッパ34，34Ａを一体に設けており、大型のストッパ34は、前記大型の挿通孔33に係合し、小型のストッパ34Ａは、大型の挿通孔33には係合することなく挿通し、小型の挿通孔33Ａに係合し、大型のストッパ34は小型のストッパ34Ａより径大に形成され、小型のストッパ34Ａの直径は、前記挿通孔33の左右巾より小さく、挿通孔33Ａの巾より大きく、一方、大型のストッパ34の直径は挿通孔33の左右巾より大きい。そして、キャリヤ13に固定した一端10Ｌ及び他端10Ｒから間隔を置いて近い位置に、小型のストッパ34Ａを設け、離れた位置に、大型のストッパ34をそれぞれ設けている。また、小型の挿通孔33Ａを有する垂止具31Ａを、前記キャリヤ13と小型のストッパ34Ａとの間に配置し、この小型のストッパ34Ａと大型のストッパ34との間に、大型の挿通孔33を有する垂止具31を配置している。
【００２２】
前記垂止具31，31Ａには、好ましくはステンレス材が用いられ、ステンレス材を用いることにより、塗装を不要し、耐食性が向上する。また、図６及び図７に示すように、前記ストッパ34，34Ａは、ワイヤーロープ10にステンレスなどの金属製リング36を固着し、ワイヤーロープ10の長さ方向に二分割した弾性筒状体37，37Ａを前記リング36及びワイヤーロープ10に接着などにより固着し、それら弾性筒状体37，37Ａの合わせ目には、相互に突合わせる突合せテーパ面38，38Ａが形成され、これら突合せテーパ面38，38Ａ同士を接着などにより固着している。また、弾性筒状体37，37Ａはゴムなどの弾性体からなり、長さ方向両端側には、端部に向って径小となる案内テーパ面39，39Ａが形成されている。このようにストッパ34，34Ａの材料にゴムなどの弾性体を用いることにより、ストッパ34，34Ａがシーブ28を通過する際、ワイヤーロープ10の曲がりに追従することができ、ワイヤーロープ10の耐久性を高めることができる。一方、長期使用により弾性筒状体37，37Ａが磨耗，損傷した場合には、その弾性筒状体37，37Ａを現地で交換することができ、この場合は、弾性筒状体37，37Ａを周方向に分割したものを用意し、これらを組み立てるようにすればよい。
【００２３】
図中、41は前記主ワイヤーロープ11の両側に設けられたテンション装置であり、前記主ワイヤーロープ11に所定の張力を付与している。また、架台９には、垂止具移動用ワイヤーロープ10のテンション装置（図示せず）が設けられ、このテンション装置はシーブ28を両側に付勢してワイヤーロープ10にテンションを付与するものである。
【００２４】
なお、河川の流速信号を送信する手段と、水面、河川底を検出する手段は、ポール１に直接設ける必要はなく、ポール側に、すなわちポールと一体的に移動できるように設けられていればよい。
【００２５】
次に、キャリヤ13と垂止具31，31Ａと移動用ワイヤーロープ14による動作を中心に説明する。図９に示すように、右側に垂止具31Ａにストッパ34Ａが係合する位置にあり、キャリヤ13の左隣りに垂止具31Ａがあり、ここからキャリヤ13が巾方向のほぼ中央位置から左側に移動すると、左隣りの垂止具31Ａはキャリヤ13に押されて左に移動し、左側のストッパ34Ａに係合した右側の垂止具31Ａはストッパ34Ａに押されて左に移動する。さらに移動すると、キャリヤ13は右側の二つの垂止具31，31Ａを押して移動し、シーブ28を回って下段にきた大型のストッパ34が、大型の挿通孔33に係合し、垂止具31を左側に押して移動し、左側の両垂止具31Ａ，31は、ストッパ34Ａ，34の間隔に対応した間隔を保って移動し、中央側に配置される（図１０）。この図１０の位置から、キャリヤ13を右側に移動すると、右側の両垂止具31Ａ，31は当接腕部29に押されて移動する。一方、キャリヤ13の左側では、ワイヤーロープ10の移動により小型のストッパ34Ａが移動し、小型のストッパ34Ａは大型の挿通孔33には係合せず、該挿通孔33を通過し、隣りの小型の挿通孔33Ａに係合して垂止具31Ａが移動を開始する。さらに、キャリヤ13が移動し、大型のストッパ34がシーブ28を回って下段に移動し、大型の挿通孔33に係合して垂止具31が移動を開始し、キャリヤ13が右端側まで移動すると、図１１に示すように、中央側に間隔を置いて、垂止具31，31Ａが配置される。尚、ワイヤーロープ10において隣り合うストッパ34，34Ａの間隔は、両側の架台９，９のほぼ３分の位置程度の間隔である。このように、架台９，９間において、キャリヤ13を移動しても、多段に設けられた前記ワイヤーロープ10，11，14，19に、常時複数の垂止具31，31Ａが間隔を置いて配置されるため、ワイヤーロープ10，11，14，19の緩みを良好に防止することができ、装置による河川に係る測定を正確に行うことができる。
【００２６】
しかして、ポール１を河川の巾方向に移動するための正逆転巻取ドラム17と、ポール１を水深方向に移動するための正逆転巻取ドラム25との作動により、ポール１は図１の測定地点Ａで示すように、線路横断面のほぼ全体にわたり間欠往復移動しながら表示盤26に表われる流速、巾方向の移動量、深度などの情報を得ることができ、かつこの情報を同一箇所における変化データとして得ることができるため河川流量が高い精度で調査できる。その場合ポール１の傾斜角を検知できるため深度も正確に測定できる．また、ポール１を自動的に移動できるため高水位、大流量時などの河川事情の変化に影響されず常に正確な測定が可能である。また、変断面でかつ非成形断面を持つ一般河川において、高い精度の調査ができ、ポールを用いるため水流によってポールが彎曲する心配もなく高い精度が得られる。
【００２７】
このように本実施例では、請求項１に対応して、河川の両側壁に設けられた架台９，９間に複数段に渡されたワイヤーロープ10，11，14，19と、これらワイヤーロープ10，11，14，19に沿って移動するキャリヤ13と、このキャリヤ13に吊設されたポール１と、このポール１側に設けられ河川の流速信号を送信する手段である流速計２及び送信器３と、ポール１に設けられ、水面、河川底を検出する手段たる接地スイッチ５と、キャリヤ13の移動によりポール１を河川の巾方向に移動する手段８と、ポール１を河川の水深方向に移動する手段18と、ポール１の移動に関する流速値、移動値などの情報を表示する表示手段たる表示盤27と、キャリヤ13に押されて移動するワイヤーロープ用の垂止具31，31Ａとを備えた河川の定置型流速測定装置において、架台９，９間に渡されキャリヤ13の移動により移動する垂止具移動用ワイヤーロープ10と、キャリヤ13と間隔を置いて垂止具移動用ワイヤーロープ10に設けられ垂止具31，31Ａをキャリヤ13側に押して該垂止具31，31Ａを移動するストッパ34，34Ａとを備えるから、キャリヤ13が移動すると、該キャリヤ13に押されて移動方向前側に配置されていた垂止具31，31Ａが架台９側に移動し、一方、キャリヤ13と供に移動用ワイヤーロープ10が移動し、この移動用ワイヤーロープ10に設けたストッパ34，34Ａが、キャリヤ移動方向後側の垂止具31，31Ａを押してキャリヤ13後方に垂止具31，31Ａが配置される。
【００２８】
また、このように本実施例では、請求項２に対応して、ストッパ34，34Ａは垂止具31，31Ａに係合して該垂止具31，31Ａを押し、異なるストッパ34，34Ａを移動用ワイヤーロープ10に間隔を置いて設け、異なるストッパ34，34Ａの一方のストッパ34Ａのみが係合する垂止具31Ａと、異なるストッパ34，34Ａの両方に係合する垂止具31とを備えるから、キャリヤ13と供に垂止具移動用ワイヤーロープ10が移動し、キャリヤ13の移動方向後側において、移動用ワイヤーロープ10に設けたストッパ34，34Ａの一方が、これに係合する垂止具31Ａを押し、ストッパ34Ａと間隔を置くストッパ34が、垂止具31Ａと異なる垂止具31を押し、これにより移動方向の後側に複数の垂止具31Ａ，31がストッパ34Ａ，34の間隔に合わせて配置される。
【００２９】
また、このように本実施例では、請求項３に対応して、ストッパ34，34Ａは垂止具31，31Ａに係合して該垂止具31，31Ａを押し、大型と小型のストッパ34，34Ａを移動用ワイヤーロープ10に間隔を置いて設けると共に、キャリヤ13側に小型のストッパ34Ａを設け、垂止具31，31Ａには、移動用ワイヤーロープ10を挿通する挿通部たる挿通孔33，33Ａを設け、大型のストッパ34に係合する大型の挿通孔33を有する垂止具31と、小型のストッパ34Ａに係合する小型の挿通孔33Ａを有する垂止具31とを備え、この小型の挿通孔33Ａを有する垂止具31Ａを、キャリヤ13側に配置したから、キャリヤ13と供に垂止具移動用ワイヤーロープ10が移動し、キャリヤ13の移動方向後側において、小型のストッパ34Ａが大型の挿通孔33を通過し、小型の挿通孔33Ａを有する垂止具31Ａに係合し、この垂止具31Ａを押し、続いて、大型のストッパ34が大型の挿通孔33を有する垂止具31に係合し、この垂止具31を押し、これにより移動方向の後側に複数の垂止具31，31Ａがストッパ34，34Ａの間隔に合わせて配置される。
【００３０】
なお、本発明は、前記実施例に限定されるものではなく、種々の変形実施が可能である。
【図面の簡単な説明】
【００３１】
【図１】本発明の実施例１を一部を断面にした全体正面図である。
【図２】同上、キャリヤとポールの正面図である。
【図３】同上、キャリヤとポールの側面図である。
【図４】同上、大型の挿通部を有する垂止具を示し、図４（Ａ）は側面図、図４（Ｂ）は正面図である。
【図５】同上、小型の挿通部を有する垂止具の側面図である。
【図６】同上、大型のストッパの断面図である。
【図７】同上、小型のストッパの断面図である。
【図８】同上、垂止具移動用ワイヤーロープにおけるストッパの配置を説明する正面図である。
【図９】同上、多段に設けたワイヤーロープ回りの正面図であり、キャリヤが中央位置の場合を示す。
【図１０】同上、多段に設けたワイヤーロープ回りの正面図であり、キャリヤが左側に移動した場合を示す。
【図１１】同上、多段に設けたワイヤーロープ回りの正面図であり、キャリヤが右側に移動した場合を示す。
【図１２】同上、移動装置の平面図である。
【図１３】従来例を示す要部の正面図である。
【符号の説明】
【００３２】
１  ポール
２  流速計
３  送信器
５  接地スイッチ
７  角度計
８  移動する装置
９  架台
10  垂止具移動用ワイヤーロープ
11  主ワイヤーロープ
13  キャリヤ
14  移動用ワイヤーロープ
18  水深方向に移動する装置
19  ポール昇降用ワイヤーロープ
31，31Ａ  垂止具
33  挿通孔（大型の挿通部）
33Ａ  挿通孔（小型の挿通部）
34  大型のストッパ
34Ａ  小型のストッパ
【図１】
2006029924.tif 000003
【図２】
2006029924.tif 000004
【図３】
2006029924.tif 000005
【図４】
2006029924.tif 000006
【図５】
2006029924.tif 000007
【図６】
2006029924.tif 000008
【図７】
2006029924.tif 000009
【図８】
2006029924.tif 000010
【図９】
2006029924.tif 000011
【図１０】
2006029924.tif 000012
【図１１】
2006029924.tif 000013
【図１２】
2006029924.tif 000014
【図１３】
2006029924.tif 000015